(57)【特許請求の範囲】
【請求項１】
操作入力を受け付けて処理を自動で行う自動処理装置において、
所定の処理内容を示す操作画像を表示して当該操作画像に接触される操作面に抗菌性を備える抗菌層が形成され、前記抗菌層の表面と水平に維持されるように前記抗菌層の表面に導電部材が入り込んで設けられた透明絶縁基板を具備する光学式タッチパネル、
を有することを特徴とする自動処理装置。
【請求項２】
前記導電部材は接地されていることを特徴とする請求項１記載の自動処理装置。
【請求項３】
前記導電部材と前記接地との間に抵抗を有することを特徴とする請求項２記載の自動処理装置。
【請求項４】
前記導電部材は、格子状であって、前記操作面全面を覆うように設けられていることを特徴とする請求項１記載の自動処理装置。
【請求項５】
前記導電部材の格子間隔は、１．０ｍｍ以上、５．４ｍｍ以下であることを特徴とする請求項４記載の自動処理装置。
【請求項６】
前記導電部材の幅は、０．０２５０５ｍｍ以上、０．２ｍｍ以下であることを特徴とする請求項４記載の自動処理装置。
【請求項７】
前記導電部材のＡＷＧサイズは、５０ＡＷＧ以上、３２ＡＷＧ以下であることを特徴とする請求項４記載の自動処理装置。
【請求項８】
前記導電部材の断面積は、０．０００４９２９ｍｍ2以上、前記導電部材の幅は、０．２ｍｍ以下であることを特徴とする請求項４記載の自動処理装置。
【請求項９】
前記導電部材は、金メッキが施されていることを特徴とする請求項１記載の自動処理装置。
【請求項１０】
前記透明絶縁基板はアクリル板であることを特徴とする請求項１記載の自動処理装置。
【請求項１１】
前記抗菌層は、銀を含有することを特徴とする請求項１記載の自動処理装置。
【請求項１２】
前記導電部材は、前記透明絶縁基板の前記表示面に入り込んで設けられていることを特徴とする請求項１記載の自動処理装置。
【請求項１３】
操作入力を受け付けて、前記操作入力を検知する光学式タッチパネルにおいて、
所定の処理内容を示す操作画像を表示して当該操作画像に接触される操作面に抗菌性を備える抗菌層が形成され、前記抗菌層の表面と水平に維持されるように前記抗菌層の表面に導電部材が入り込んで設けられた透明絶縁基板、
を有することを特徴とする光学式タッチパネル。
【発明の詳細な説明】
【技術分野】
【０００１】
本発明は、自動処理装置及び光学式タッチパネルに関する。
【背景技術】
【０００２】
液晶ディスプレイ等の表示装置上に、ユーザによる操作入力を検知するタッチパネルが設置されている（例えば、特許文献１参照）。このようなタッチパネルは、例えば、現金自動預け払い機（Automated Teller Machine：ATM）に適用することができる。
【０００３】
ＡＴＭにタッチパネルを適用した場合、ユーザである顧客は、所望の取引を実行するために、表示装置の表示面に表示された操作画像をタッチパネルを介して指先でタッチする。そして、タッチパネルが、タッチされた位置を検知して、当該タッチ位置に対応する取引がＡＴＭで実行される。
【先行技術文献】
【特許文献】
【０００４】
【特許文献１】特開２００８−１８５９３５号公報
【発明の概要】
【発明が解決しようとする課題】
【０００５】
しかし、このようなＡＴＭでは、次のような問題点があった。
ＡＴＭは一日に不特定多数の顧客に利用されるため、タッチパネルの操作面には抗菌性を有する抗菌コーティングが施されている。一方、不特定多数の顧客の中には、帯電した状態の顧客がいることもある。特に冬のような乾燥する時期には、人は帯電しやすくなる。タッチパネルは、帯電した状態の顧客により繰り返しタッチされると、タッチパネルを構成する絶縁性の透明絶縁基板（例えば、アクリル板）の操作面に電荷が移動することがある。タッチパネルに電荷が移動すると、当該透明絶縁基板に電荷が蓄積して帯電してしまう。このように帯電したタッチパネルに対して、顧客が指先でタッチすると、顧客は帯電による違和感を覚え、不快な気持ちを受けてしまうという問題点があった。
【０００６】
このように顧客に対して不快な気持ちを与えないようにするために、操作面に帯電防止剤の噴霧または帯電防止のためのコーティング加工を行うことが考えられる。しかし、このような帯電防止の方法では、抗菌コーティングの効果が持続されなくなり、タッチパネルを衛生的に維持できなくなるという別の問題点もあった。
【０００７】
本発明はこのような点に鑑みてされたものであり、衛生的に維持されて、帯電が防止された自動処理装置及び光学式タッチパネルを提供することを目的とする。
【課題を解決するための手段】
【０００８】
上記目的を達成するために、操作入力を受け付けて処理を自動で行う自動処理装置において、所定の処理内容を示す操作画像を表示して当該操作画像に接触される操作面に抗菌性を備える抗菌層が形成され、前記抗菌層の表面と水平に維持されるように前記抗菌層の表面に導電部材が入り込んで設けられた透明絶縁基板を具備する光学式タッチパネルを有する自動処理装置が提供される。
【０００９】
また、上記目的を達成するために、上記の自動処理装置に適用される光学式タッチパネルが提供される。
【発明の効果】
【００１０】
上記の自動処理装置及び光学式タッチパネルによれば、衛生的に維持して、帯電を抑制することができる。
【図面の簡単な説明】
【００１１】
【図１】第１の実施の形態に係るタッチパネルの構成を示す図である。
【図２】第２の実施の形態に係るＡＴＭの斜視図である。
【図３】第２の実施の形態に係る表示入力ユニットの構成を示す上面図である。
【図４】第２の実施の形態に係る表示入力ユニットの構成を示す断面図である。
【図５】第２の実施の形態に係るタッチパネルの導電部材の間隔及び幅を説明するための図である。
【図６】第２の実施の形態に係る計測方法を説明するための図である。
【図７】第２の実施の形態に係るタッチパネルに対する電圧の印加回数に応じた帯電電圧を示す図である。
【図８】第２の実施の形態に係る経過時間に応じたタッチパネルの帯電電圧を示す図である。
【発明を実施するための形態】
【００１２】
以下、実施の形態について図面を参照して説明する。
［第１の実施の形態］
図１は、第１の実施の形態に係るタッチパネルの構成を示す図である。
【００１３】
なお、図１（Ａ）は、タッチパネル１の上面図を、図１（Ｂ）は、図１（Ａ）の一点鎖線Ｘ−Ｘにおけるタッチパネル１と表示部２との断面図をそれぞれ示している。
タッチパネル１は、ユーザによって繰り返しタッチされても、衛生的に維持されて、電荷の蓄積を防止し、帯電を抑制することができるものである。
【００１４】
このようなタッチパネル１は、操作画像を表示する表示部２上に設置された透明絶縁基板１ａと、透明絶縁基板１ａに対する操作入力を検知する検知部（図示を省略）とを有する。また、タッチパネル１及び表示部２は、例えば、ＡＴＭ等の自動処理装置の装置本体に設置されて、ユーザに操作画像を視認させて、ユーザからの操作入力を受け付ける。そして、このような装置本体では当該操作入力に応じた処理を実行する。なお、自動処理装置は、ＡＴＭに限らず、例えば、駅等の券売機、書店の検索機等のようにユーザからの操作入力に応じて所定の処理を自動的に実行するものである。
【００１５】
透明絶縁基板１ａは、当該透明絶縁基板１ａを介して、表示部２で表示される操作画像が視認される透明の絶縁板である。このような絶縁板として、例えば、アクリル系樹脂で構成されたいわゆるアクリル板等を適用することができる。
【００１６】
検知部は、ユーザがタッチパネル１の透明絶縁基板１ａを介して表示部２に表示された操作画像に対してタッチした位置を検知する。例えば、透明絶縁基板１ａに対して検知部として設置した発光素子・受光素子は、発光素子からの光がユーザのタッチにより遮蔽された位置を検知することができる。なお、タッチパネル１及び表示部２が設置された装置の本体側で、検知したタッチ位置に対応する処理が実行される。
【００１７】
また、透明絶縁基板１ａの操作面の表面には、抗菌性を有する抗菌層１ｂ（例えば、抗菌性を有するコーティング膜等）が形成されている（図１（Ｂ））。
タッチパネル１が銀行のＡＴＭに用いられる場合には、抗菌層１ｂが、不特定多数のユーザ（顧客）により接触されるタッチパネル１に対する細菌の繁殖等を抑制し、抗菌性を維持する。
【００１８】
さらに、このような透明絶縁基板１ａの抗菌層１ｂが形成された操作面上に、導電部材１ｃが設けられている（図１（Ｂ））。導電部材１ｃは、例えば、図１（Ａ）に示されるように、格子状であって、透明絶縁基板１ａのタッチされる操作面側の全面を覆っている。また、導電部材１ｃは、配線３ａで抵抗器３を介して接地されている。
【００１９】
次に、このようなタッチパネル１に対するユーザの指先でのタッチによる操作入力について説明する。
ユーザは、表示部２に表示される操作画像をタッチパネル１を介して視認する。ユーザは、所望の処理を実行させるために、表示部２に表示されている当該処理内容を表す画像を透明絶縁基板１ａの操作面を介して指先でタッチする。
【００２０】
この時、ユーザが帯電している場合には、ユーザの指先からタッチパネル１の透明絶縁基板１ａの操作面に電荷が移動する。このような操作入力が行われるごとに透明絶縁基板１ａの操作面に移動した電荷は、導電部材１ｃを導電してインピーダンスが低い接地に放電される。このため、電荷は、透明絶縁基板１ａの操作面に移動しても、蓄積されず、透明絶縁基板１ａの帯電が抑制される。また、導電部材１ｃは、図１（Ａ）に示されるように、接地との間に抵抗器３が配置されている。このように抵抗器３を配置すると、電荷は導電部材１ｃから配線３ａを導通して緩やかに接地に放電されるようになる。
【００２１】
また、このような電荷の放電は、透明絶縁基板１ａの抗菌層１ｂにより、タッチパネル１の透明絶縁基板１ａに対する細菌の繁殖等が抑制され、抗菌性が維持された状態で行われる。
【００２２】
このように上記のタッチパネル１では、表示部２の表示面上に配置した透明絶縁基板１ａの操作入力のためにタッチされる操作面に、抗菌層１ｂを形成し、接地された導電部材１ｃを設けるようにした。これにより、ユーザが操作入力を行うために透明絶縁基板１ａの操作面をタッチすると、透明絶縁基板１ａの細菌の繁殖が防止された状態で、ユーザからの電荷が導電部材１ｃを導通して接地に放電される。この結果、タッチパネル１の透明絶縁基板１ａの操作面は、抗菌性が維持されて、電荷の蓄積が防止されて、操作面の帯電が抑制されるようになる。したがって、ユーザは当該タッチパネル１にタッチしても、タッチパネル１が衛生的に維持され、また、帯電による違和感を覚えなくなり、不快な気持ちをしなくなる。
【００２３】
また、透明絶縁基板１ａに設けられた導電部材１ｃに対して、接地との間に抵抗器３を設置するようにした。これにより、電荷は導電部材１ｃから配線３ａを導通して緩やかに接地に放電されるようになる。この結果、ユーザが、タッチパネル１の透明絶縁基板１ａの操作面をタッチする際に、導電部材１ｃに接触しても、ユーザと導電部材１ｃとの間の電気的な短絡（ショート）の発生が防止されて、ユーザが受ける痛みを抑制することができる。
【００２４】
［第２の実施の形態］
次に、上記タッチパネルを具体的に説明すると共に、自動処理装置の一例としてＡＴＭに当該タッチパネルを適用した場合について説明する。
【００２５】
図２は、第２の実施の形態に係るＡＴＭの斜視図である。
ＡＴＭ１０は、銀行、コンビニエンスストア、駅構内等に設置されて、顧客による操作入力に応じて、送金・入金・振込み・引き落とし等の取引を自動的に実行し、また、通帳及びキャッシュカードに当該取引内容を記録することができるものである。
【００２６】
このようなＡＴＭ１０は、通帳挿入／排出口１１、硬貨投入／放出口１２、カード挿入／排出口１３、紙幣挿入／放出口１４及び表示入力ユニット１５が外装されている。
通帳挿入／排出口１１及びカード挿入／排出口１３は、顧客によって通帳及びキャッシュカードがそれぞれ挿入され、また、ＡＴＭ１０の内部で所定の処理が実行されると、通帳及びキャッシュカードがそれぞれ搬送されて、排出される。
【００２７】
硬貨投入／放出口１２及び紙幣挿入／放出口１４は、顧客による操作入力に応じて、硬貨及び紙幣がそれぞれ投入及び挿入され、また、ＡＴＭ１０の内部で所定の処理が実行されて搬送された硬貨及び紙幣がそれぞれ放出される。
【００２８】
表示入力ユニット１５は、後述する光学式のタッチパネル２０及び液晶ディスプレイ３０等から構成されており、顧客によるタッチパネル２０に対する操作入力を受け付けて、ＡＴＭ１０は当該操作入力に応じた処理を実行する。また、所定の処理の結果を液晶ディスプレイ３０に表示することができる。
【００２９】
次に、このような表示入力ユニット１５の詳細について説明する。
図３は、第２の実施の形態に係る表示入力ユニットの構成を示す上面図である。
なお、図３（Ａ）は表示入力ユニット１５のタッチパネル２０の、図３（Ｂ）はタッチパネル２０に設けられた導電部材２２のそれぞれの上面図である。
【００３０】
タッチパネル２０は、開口部２１ａを備えた外装樹脂２１により外縁部が覆われており、外装樹脂２１の開口部２１ａには、格子状の導電部材２２が配置されている（図３（Ａ））。
【００３１】
当該外装樹脂２１を取り外すと、図３（Ｂ）に示されるように、格子状の導電部材２２の四隅の各頂点部には、外側に突出した凸部２２ａが形成されている。
このような導電部材２２は、後述するように、コーティング膜２４が操作面に形成されたアクリル板２５に形成されて、顧客のタッチにより指先から移動した電荷を接地に放電するためのものである。電荷を接地に放出するためには、導電部材２２は格子状の場合に限らず、短冊状の導電部材を一方向に複数配列させた形状、梯子状の形状等であっても構わない。なお、導電部材２２は格子状であるために、１つの格子を構成する四辺のうち最大３箇所が切断されてしまっても電荷の導通は維持されるため、短冊状の導電部材を一方向に複数配列させた形状等よりも耐久性が優れている。
【００３２】
また、導電部材２２は、格子状であるために、格子に囲まれたアクリル板２５の領域に蓄積した電荷を引き込みやすい。したがって、格子状の導電部材２２は、アクリル板２５の格子に囲まれた領域に蓄積される電荷を減らして、帯電を抑制することができる。
【００３３】
また、導電部材２２の四隅の凸部２２ａには、開口部２３ａが形成された取付部材２３が設置されている。なお、１つの取付部材２３の表面抵抗を４つ合わせた取付部材２３の合成表面抵抗は、次式（１）で表される。
【００３４】
Ｒａ
＝［｛（ｒ1＊ｒ2）／（ｒ1＋ｒ2）｝＊｛（ｒ3＊ｒ4）／（ｒ3＋ｒ4）｝］／
［｛（ｒ1＊ｒ2）／（ｒ1＋ｒ2）｝＋｛（ｒ3＊ｒ4）／（ｒ3＋ｒ4）｝］・・・（１）
但し、Ｒａは合成表面抵抗を、ｒ1〜ｒ4を取付部材の１つの表面抵抗をそれぞれ表す。なお、取付部材２３は、表面にテープを貼付する等により表面抵抗を所望の抵抗値に制御することができる。
【００３５】
このような導電部材２２の合成表面抵抗Ｒａの具体例について説明する。
まず、国際電気標準会議（ＩＥＣ）において公開された、人が電流を感じないレベルの最大の電流Ｉは０．０００５［Ａ］と規定されている。また、タッチする指の表面の一般的な帯電量Ｖは１００［Ｖ］程度であることが知られている。したがって、帯電量１００［Ｖ］の場合に、人が電流を感じないレベルの抵抗Ｒは、２００（＝１００［Ｖ］／０．０００５［Ａ］）［ｋΩ］以上である。
【００３６】
図３（Ｂ）に示される導電部材２２の抵抗がこのような電流Ｉ及び抵抗Ｒの条件を満たすためには、抵抗のＥ−２４系列のラインアップから、導電部材２２の１つの取付部材２３の表面抵抗ｒを８２０［ｋΩ］のものを選択する必要がある。このような表面抵抗ｒを導電部材２２に適用すると、上記の式（１）から、導電部材２２の合成表面抵抗Ｒａが２０５［ｋΩ］となり、２００［ｋΩ］を超えた抵抗Ｒを実現することができる。
【００３７】
このようなタッチパネル２０を有する表示入力ユニット１５についてさらに説明する。
図４は、第２の実施の形態に係る表示入力ユニットの構成を示す断面図である。
なお、図４には、図３（Ａ）の表示入力ユニット１５に対する一点鎖線Ｙ−Ｙで断面にした左側の断面図を拡大したものである。
【００３８】
表示入力ユニット１５は、既述のタッチパネル２０及び液晶ディスプレイ３０により構成される。
タッチパネル２０は、透明のコーティング膜２４が操作面に形成されたアクリル板２５に、既述の導電部材２２が設けられている。なお、アクリル板２５は、アクリル系樹脂で構成された透明な絶縁板である。また、ＡＴＭ１０は不特定多数の顧客によって触れられることから、コーティング膜２４には、汚れの防止、抗菌、防臭、防カビ、殺菌のために、銀系等の抗菌剤を適量含有させている。また、既述の導電部材２２は、熱圧着によりアクリル板２５の操作面に入りこむように設けられている。このため、アクリル板２５の操作面は凹凸が少なく、略水平に維持されている。したがって、凹凸が少ないことから、アクリル板２５と導電部材２２とで構成される角部に埃、ゴミ等が溜まることがなく、衛生的であって、ゴミ等への帯電を防止することができる。
【００３９】
このようなアクリル板２５の外縁部に外装樹脂２１が接着層２１ｃにより固着されている。なお、導電部材２２の凸部２２ａに設置された取付部材２３は外装樹脂２１外に突出して、導電性を有する固定部材２６ｃに狭持されて取り付けられる。この時、取付部材２３の開口部２３ａは固定部材２６ｃに形成されている開口部２６ｃ１及び外装樹脂２１に形成されている開口部２１ｄに位置合わせされている。
【００４０】
また、アクリル板２５の外縁部を囲むように取り付けられた外装樹脂２１の内部には、一対の発光素子２１ｂ及び受光素子（図示を省略）がアクリル板２５を挟んで縦横方向にそれぞれ複数対向配置している。顧客がアクリル板２５の操作面を指先でタッチすると、発光素子２１ｂからの光は指先により遮光されて、当該発光素子２１ｂに対向する受光素子が光を受光できなくなる。ＡＴＭ１０では、発光素子２１ｂ及び遮光された、発光素子２１ｂに対向する受光素子の位置が検知されると共に、当該位置に対応する液晶ディスプレイ３０に表示されている取引が操作入力されたことを認識して、当該取引の処理を実行する。
【００４１】
液晶ディスプレイ３０は、操作画像を表示する液晶パネル部３１と、液晶パネル部３１の外縁部を覆い、液晶パネル部３１を固定する外装樹脂３２とを有する。
液晶パネル部３１は、光源となるバックライト、光を透過・遮蔽する液晶シャッタ、及びカラーフィルタ（それぞれ図示を省略）が（図中下から順に）積層されたもの等を備えている。
【００４２】
外装樹脂３２は、既述の通り、液晶パネル部３１を固定すると共に、開口部３２ａが形成されている。さらに、外装樹脂３２には、液晶パネル部３１の液晶シャッタの明暗を制御する駆動回路が内蔵されており、液晶パネル部３１によって表示される画像の切り替え等を実行する。
【００４３】
このような液晶ディスプレイ３０上に、開口部２１ｄ，２３ａ，２６ｃ１，３２ａを位置合わせして、固定部材２６ｃが取り付けられたタッチパネル２０を載置する。そして、開口部２１ｄ，２３ａ，２６ｃ１，３２ａに、座金（ワッシャ）２６ｂを介して螺子２６ａを螺合することで、液晶ディスプレイ３０上にタッチパネル２０を固定することができる。
【００４４】
次に、このようなタッチパネル２０のアクリル板２５に設置した格子状の導電部材２２の格子の間隔及び幅について説明する。
図５は、第２の実施の形態に係るタッチパネルの導電部材の間隔及び幅を説明するための図である。
【００４５】
なお、図５（Ａ）は導電部材２２の格子の間隔を、図５（Ｂ）は導電部材２２の幅をそれぞれ説明するための図を表している。
まず、導電部材２２の格子の間隔について説明する。
【００４６】
ＩＥＣ（International Electrotechnical Commission：国際電気標準会議）６０９５０−１（２．１．１．１項におけるフィンガーテストの子供の指の直径）を踏まえて、図５（Ａ）に示される導電部材２２の格子の間隔（辺の長さ）ａは５．４ｍｍ以下が好ましい。
【００４７】
また、第２の実施の形態で利用しているコーティング膜２４は、銀系の抗菌剤の含有量に基づいて、十分な抗菌効果を得るにはコーティング膜２４が少なくとも１ｍｍ2必要である。このことから、アクリル板２５に形成されたコーティング膜２４に対して、導電部材２２の格子の辺の長さａは少なくとも１ｍｍ以上であることが望まれる。
【００４８】
したがって、導電部材２２の格子の間隔（辺の長さ）ａは、１．０ｍｍ以上、５．４ｍｍ以下であることが望ましい。
次に、導電部材２２の幅について説明する。
【００４９】
上記の通り、人が電流を感じないレベルの最大の電流値Ｉは０．０００５［Ａ］と規定されている。また、導電性を有する線材は、平常温度（４０度程度）において、その幅（直径）が５０ＡＷＧ（American Wire Gauge）サイズの場合に、最大０．０００５［Ａ］の電流を流すことが可能であることが知られている。このことから、導電部材２２のＡＷＧサイズは５０ＡＷＧ以上であれば、人に感じない範囲の電流を流すことができる。なお、５０ＡＷＧは、幅（直径）が０．０２５０２ｍｍに対応している。
【００５０】
また、第２の実施の形態で利用しているコーティング膜２４では、図５（Ｂ）に示されるように、幅が１ｍｍ程度のコーティング膜２４に対し、十分な抗菌効果が保障されるようにするには、銀系の抗菌剤の含有量に基づいて、幅ｂが０．２ｍｍまでの導電部材２２を形成することができる。
【００５１】
したがって、導電部材２２の幅ｂは、０．０２５０２ｍｍ以上、０．２ｍｍ以下の範囲であることが望ましい。また、このような範囲になるように幅ｂをＡＷＧに換算すると、５０ＡＷＧ以上、３２ＡＷＧ以下の範囲となる。なお、３２ＡＷＧは、０．１７９８ｍｍに対応するため、このような範囲は、０．０２５０２ｍｍ以上、０．１７９８ｍｍ以下の範囲と表すこともできる。
【００５２】
なお、５０ＡＷＧは、導体断面積が０．０００４９２９ｍｍ2に対応しており、この導体断面積を確保することにより、人に感じない範囲の電流を流すことができる。つまり、導電部材に使用される線材等は、通常、断面形状が円状になっているので、ＡＷＧ等の直径を用いた表現が多いが、円状でなくても断面積が同じであれば、楕円や四角等の別形状であっても良い。
【００５３】
したがって、導電部材２２の導体断面積が０．０００４９２９ｍｍ2以上、幅が０．２ｍｍ以下の範囲と表すこともできる。
このような構成を有する表示入力ユニット１５のタッチパネル２０に対する操作入力を実行のためのタッチ動作について説明する。
【００５４】
まず、顧客は液晶ディスプレイ３０で表示される操作画像等をタッチパネル２０を介して視認する。
顧客は、液晶ディスプレイ３０に表示されている所望の取引に対応するタッチパネル２０のアクリル板２５の操作面を指先でタッチすると、発光素子２１ｂからの光が遮蔽され、発光素子２１ｂと遮光された発光素子２１ｂに対向する受光素子との位置が検知される。そして、ＡＴＭ１０は、当該位置に対応する液晶ディスプレイ３０に表示されている取引が操作入力されたことを認識して、当該取引の処理を実行する。
【００５５】
また、顧客がタッチパネル２０のアクリル板２５の操作面を指先でタッチした際には、顧客の指先は導電部材２２にも接触する。この時、導電部材２２は既述の通りアクリル板２５に入り込むように設けられてアクリル板２５の操作面が略水平に維持されているために、顧客はアクリル板２５の操作面の凹凸等による不快を感じることなくタッチすることができる。さらに、アクリル板２５の導電部材２２の格子で囲まれる領域のコーティング膜２４によりアクリル板２５の操作面は抗菌性等が維持されている。
【００５６】
顧客のタッチにより指先から電荷が導電部材２２に移動する。なお、一部の電荷はアクリル板２５の導電部材２２の格子で囲まれた領域に移動して帯電する。囲まれた領域にそのまま蓄積される電荷もあれば、導電部材２２に引き込まれる電荷もある。指先及び導電部材２２の格子で囲まれた領域からそれぞれ導電部材２２に移動した電荷は、インピーダンスが低いところに流れるために、導電部材２２を四隅の凸部２２ａに進み、凸部２２ａから電荷は取付部材２３の表面抵抗により緩やかに導通し、さらに螺子２６ａからＡＴＭ１０内部を導通し、ＡＴＭ１０から接地に放電される。このようにして、アクリル板２５の操作面には電荷が殆ど蓄積されないようになる。
【００５７】
次に、このようなタッチパネル２０の帯電電圧について説明する。
なお、以下では、後述するように、アクリル板２５の操作面に静電ガン４０で意図的に帯電させてその帯電電圧を計測するようにしている。
【００５８】
図６は、第２の実施の形態に係る計測方法を説明するための図である。
なお、図６（Ａ）は上面図を、図６（Ｂ）は図６（Ａ）の一点鎖線Ｚ−Ｚにおける断面図をそれぞれ示している。
【００５９】
計測方法としては、まず、図６に示されるように、金属プレート５０上に、コーティング膜２４を形成したアクリル板２５を載置した場合（以下、「導電部材無」の場合）に、当該アクリル板２５の操作面に対して電圧を印加して、帯電させる。
【００６０】
これに対して、金属プレート５０上に、前述の接地された格子状の導電部材２２及びコーティング膜２４のみが形成されたアクリル板２５を載置した場合（以下、「導電部材有」の場合）に、当該アクリル板２５の操作面に対して電圧を印加して、帯電させる。
【００６１】
なお、図６は、導電部材無の場合について示している。また、電圧の印加には、静電気を発生させる装置である、例えば、静電ガン４０を用いている。
このような２つの場合のアクリル板２５の操作面に対して印加する電圧は±３０ｋＶであって、この電圧を複数回印加した。そして、５０回、１００回、２５０回、３５０回印加した場合におけるアクリル板２５の操作面の帯電電圧について計測した。
【００６２】
図７は、第２の実施の形態に係るタッチパネルに対する電圧の印加回数に応じた帯電電圧を示す図である。
なお、図７の中央欄は導電部材無の場合の、右欄は導電部材有の場合のそれぞれの帯電電圧の計測結果をそれぞれ示している。
【００６３】
また、一般に、タッチパネルの帯電電圧が６ｋＶ以上であれば、タッチした人は帯電による違和感を覚え、帯電電圧が４ｋＶ程度以下であれば帯電による違和感を覚えないことが分かっている。
【００６４】
まず、導電部材無（コーティング膜２４のみを形成したアクリル板２５）の場合には、印加回数が５０回で既に帯電電圧が１３．７ｋＶ、−１０．３ｋＶとなり、このような状態のタッチパネルであれば、顧客が違和感を覚えてしまう。
【００６５】
この後も、印加回数が増加するに連れて、アクリル板２５の帯電電圧（の絶対値）は増加する。印加回数が２５０回の時に帯電電圧が１６．５ｋＶ、−１５．２ｋＶとなったことが計測されてから、印加回数がさらに増加しても、帯電電圧は殆ど増加しなくなり、アクリル板２５の帯電電圧が飽和状態になっていることが考えられる。
【００６６】
一方、導電部材有（前述の接地された導電部材２２及びコーティング膜２４が形成されたアクリル板２５）の場合には、印加回数が５０回で帯電電圧が２ｋＶ、−２．５ｋＶとなり、顧客が違和感を覚えるほど帯電していないことが分かる。なお、この時に計測される帯電電圧は、アクリル板２５の導電部材２２の格子で囲まれた領域に電荷が帯電していることによるものと考えられる。
【００６７】
この後、印加回数を増加するに連れて、アクリル板２５の帯電電圧（の絶対値）が増加して、印加回数が２５０回で帯電電圧は３ｋＶ、−４ｋＶとなったことが計測された。また、印加回数が３５０回でも２５０回の時と同じ帯電電圧が計測されていることから、印加回数が１００回〜２５０回で、既に、アクリル板２５は、顧客が違和感を覚えない程度の帯電電圧で、飽和状態になっていることが考えられる。
【００６８】
したがって、導電部材有の場合には、±３０ｋＶの電圧を複数回印加しても、アクリル板２５は、顧客が違和感を覚えない程度の帯電電圧に抑制することができる。これは、導電部材無の場合と比較すると、帯電電圧がおよそ８０％程度抑制されている。
【００６９】
さらに、上記２つの場合のアクリル板２５の帯電電圧の時間依存性について説明する。
図８は、第２の実施の形態に係る経過時間に応じたタッチパネルの帯電電圧を示す図である。
【００７０】
なお、図８の中央欄は導電部材無の場合の、右欄は導電部材有の場合のそれぞれの帯電電圧の計測結果をそれぞれ示している。
図８は、上記の２つの場合においてアクリル板２５に３０ｋＶの電圧で３５０回印加して帯電した状態から、１時間（一部、３０分）間隔で１４時間後までの時間の経過に伴った帯電電圧の変化を示している。
【００７１】
まず、導電部材無の場合には、帯電電圧が１６．５ｋＶから時間の経過に連れて減少していくことが分かる。これは、アクリル板２５に蓄積した電荷の自然放電によるものであると考えられる。
【００７２】
また、この場合において、帯電電圧が顧客が違和感を覚えない程度（４ｋＶ程度）まで減少するために、９時間〜１０時間を要する。アクリル板２５の帯電がほぼ除電されるまでには、１４時間程度を要する。
【００７３】
一方、導電部材有の場合にも、印加回数が３５０回の時に既に顧客が違和感を覚えない程度の帯電電圧であるものの、４ｋＶから時間の経過に連れて自然放電により減少していることが分かる。計測開始から２．５時間後に帯電電圧０．４ｋＶが計測されると、以後、時間が経過しても減少しなくなり、自然放電が飽和状態になったことが考えられ、２．５時間程度で、アクリル板２５の帯電がほぼ除電されることが分かる。
【００７４】
したがって、導電部材有の場合には、電圧が印加されてもアクリル板２５の帯電電圧を抑制することができることから、導電部材無の場合と比較して、短時間で除電することができる。
【００７５】
このように上記のタッチパネル２０では、液晶ディスプレイ３０の表示面上に配置したアクリル板２５の操作入力のためにタッチされる操作面に、抗菌性を有するコーティング膜２４を形成し、螺子２６ａを介して接地された導電部材２２を設けるようにした。これにより、顧客が操作入力を行うためにアクリル板２５の操作面をタッチすると、タッチパネル２０の抗菌性を維持して、顧客からの電荷が導電部材２２を導通して取付部材２３を経て螺子２６ａから接地に放電される。この結果、タッチパネル２０のアクリル板２５の操作面が衛生的に維持された状態で、電荷の蓄積が防止されて、操作面の帯電が抑制されるようになる。したがって、顧客は当該タッチパネル２０のアクリル板２５にタッチしても違和感を覚えなくなり、不快な気持ちをしなくなる。また、抗菌性の効果を低下させるような、アクリル板２５に対して帯電防止のためのスプレーまたはコーティング等を行わずして、タッチパネル２０の抗菌性を維持した状態で、帯電を抑制することができる。
【００７６】
また、アクリル板２５に設けられた導電部材２２に対して、接地との間に取付部材２３を設置するようにした。これにより、電荷は導電部材２２から取付部材２３を経て螺子２６ａを導通して緩やかに接地に放電されるようになる。この結果、顧客が、タッチパネル２０のアクリル板２５の操作面をタッチする際に、導電部材２２に接触しても、顧客と導電部材２２との間のショートの発生が防止されて、顧客が受ける痛みを抑制することができる。
【符号の説明】
【００７７】
１，２０  タッチパネル
１ａ  透明絶縁基板
１ｂ  抗菌層
１ｃ，２２  導電部材
２  表示部
３  抵抗器
３ａ  配線
１０  ＡＴＭ
１１  通帳挿入／排出口
１２  硬貨投入／放出口
１３  カード挿入／排出口
１４  紙幣挿入／放出口
１５  表示入力ユニット
２１，３２  外装樹脂
２１ａ，２１ｄ，２３ａ，２６ｃ１，３２ａ  開口部
２１ｂ  発光素子
２１ｃ  接着層
２２ａ  凸部
２３  取付部材
２４  コーティング膜
２５  アクリル板
２６ａ  螺子
２６ｂ  座金
２６ｃ  固定部材
３０  液晶ディスプレイ
３１  液晶パネル部
４０  静電ガン
５０  金属プレート
【図１】
0005451543.tif 000002
【図２】
0005451543.tif 000003
【図３】
0005451543.tif 000004
【図４】
0005451543.tif 000005
【図５】
0005451543.tif 000006
【図６】
0005451543.tif 000007
【図７】
0005451543.tif 000008
【図８】
0005451543.tif 000009